(57)【要約】陽イオン系光開始剤と併せて光学的状態変化材料を取入れたポリマ層を備えて成る、著作権侵害防止式デジタル記録媒体。【選択図】なし【特許請求の範囲】
【請求項１】
頂部平坦表面および底部平坦表面を有する基板であって、上記頂部表面は、陽イオン系光開始剤と併せて光学的状態変化材料を取入れたポリマ層を備えるという基板を備えて成る、デジタル記録媒体。
【請求項２】
前記光学的状態変化材料は、クマリン３０、アリザリンレッドＳおよびポルフィリン化合物から成る群から選択された少なくとも一種類の材料を備えて成る、請求項１記載のデジタル記録媒体。
【請求項３】
前記ポルフィリン化合物は、オクタエチル・ポルフィリン、テトラキス（ｏ−アミノフェニル）ポルフィリンおよびマグネシウム・オクタエチル・ポルフィリンから成る群から選択された少なくとも一種類のポルフィリンである、請求項２記載のデジタル記録媒体。
【請求項４】
前記光開始剤は陽イオン系光開始剤である、請求項１記載のデジタル記録媒体。
【請求項５】
前記光開始剤は、（４−メチルフェニル）ジフェニルスルホニウム・トリフレート、トリス（４−ｔｅｒｔ−ブチルフェニル）スルホニウム・パーフルオロ−１−ブタンスルホネート、（４−メトキシフェニル）ジフェニルスルホニウム・トリフレート、（４−メチルチオフェニル）メチルフェニルスルホニウム・トリフレート、（４−ブロモフェニル）ジフェニルスルホニウム・トリフレート、または、光活性化されたそれらの補体の内の少なくとも一種類である、請求項１記載のデジタル記録媒体。
【請求項６】
頂部平坦表面および底部平坦表面を有する基板を備えて成るデジタル記録媒体であって、
上記頂部表面は、少なくとも３つの層、すなわち、
適切な波長の光による衝当時に少なくともひとつの光学的状態と別の光学的状態との間で変化すべく活性化可能な光学的状態変化材料を備えて成る層、
活性化された光開始剤の反応生成物を備えて成るポリマ層であって、上記光開始剤は活性化の以前において該ポリマ層内におけるポリマを架橋させ得るというポリマ層、および、
上記光学的状態変化材料層と上記活性化された光開始剤の層との間のポリマ性隔離層であって、上記光開始剤または上記光学的状態変化材料を活性化し得る物質を含まないというポリマ性隔離層を備えて成る、
デジタル記録媒体。
【発明の詳細な説明】
【技術分野】
【０００１】
関連出願に関する相互参照
本出願は、２００６年６月２７日に出願された米国仮特許出願第６０／８０５，９７７号の特典を主張する。付加的なもしくは代替的な詳細、特徴および／または技術的背景の教示に対して適切である場合、該出願の全ての開示内容は言及したことにより本明細書中に援用されると共に、斯かる出願からは優先権が主張される。
本発明は概略的に、光開始剤と光退色材料とを備える被覆系を適用することで、記録媒体上に記録されたデータを保護する方法に関する。
【背景技術】
【０００２】
ここ３０年、光学的読取器により読取可能であるべく記憶されたデジタル・データを含むという多くの種類の可搬的な光学式デジタル記憶媒体の開発は急成長を遂げてきた。斯かる光学式デジタル記憶媒体としては、コンパクト・ディスク、デジタル・ビデオ・ディスク、ブルーレイ・ディスク、および、光学式デジタル・メモリ・カードの如き公知の対象物が挙げられる。斯かる記憶媒体は、（典型的なＣＤディスクの如く）受動的とされ得るか、または、プロセッサを含むデジタル・メモリ・カードの如く能動的とされ得る。
【０００３】
斯かる可搬デジタル記憶媒体上に記憶されたデータはそれ自体の権利が貴重であり得ることから、正式なデジタル記憶媒体から斯かるデータを不法に獲得すると共に、該データを無権限のデジタル記憶媒体上に記録すべく、多大な策が弄されてきた。残念乍ら、殆どの習用的な可搬デジタル記録媒体によれば、可搬記憶媒体からのデータの抽出は、該媒体の流通網の任意の箇所または該媒体が読取られる任意の箇所にて可能である。斯かる媒体からデータが抽出される結果、該媒体の一枚以上の正式な複製物の可能的な販売が喪失され得る。
【０００４】
本出願人の先の出願に記述された如く、媒体上に記録されたデータの読取り内容を、当該光学的状態変化材料が２つ以上の状態の内の１つの状態に在るときに変化させる様式で光学的状態変化材料をディスクに適用することにより、光媒体はデータの著作権侵害および不法コピーに対して保護され得る。限定的なものとしてで無く、読取り内容の上記変化は、光学的状態変化材料がデータの読取りを阻止する状態からデータの読取りを許容する状態へと変化することを伴い得るか、ソフトウェアにコード化された所定様式で光媒体内もしくは光媒体上に光学的状態変化が認識されなければソフトウェアおよび／またはハードウェアがディスク上のコンテンツの一部もしくは全ての読取りを阻止することを伴い得るか、光媒体上の内在データに対するデータ読取りを全体的もしくは部分的に変化させる過渡的もしくは非過渡的な光学変化を伴い得るか、且つ／又は、媒体を、該媒体を読取るコンピュータ・システムに対して限定するコンピュータ限定ソフトウェアであって、斯かるコンピュータ・システム上での読取りのために特定様式で該媒体上もしくは該媒体内に特定の光学的状態変化材料が載置されることを要するというソフトウェアを伴い得る。
【０００５】
典型的なＣＤおよびＤＶＤは、損傷に対する保護のために、（ラベル側上の）反射的なデータ裏当ての全体に亙り、単一層の塗料（“硬質被覆”もしくは“保護層”）を使用する。一層当たりで更に多くのデータ（たとえば２５ギガバイト対１５ギガバイト）を記憶するブルーレイ・ディスクは、塗料の代わりに透明なポリマ硬質被覆を採用することで、擦過および他の種類の損傷に対する保護を提供している。“Ｄｕｒａｂｉｓ”として知られる斯かる被覆のひとつは、ＴＤＫ社から入手可能である。
【０００６】
保護層を調製する上では多くの場合、ポリマに対して架橋剤が添加されることで、ポリマ鎖の架橋が促進される。斯かる架橋剤の中でも、光開始剤は、光の吸収時に光反応を行うことで反応種を生成する化合物である。光開始剤は、光の物理エネルギを、反応中間物の形態の適切な化学エネルギへと変換し得る。光開始剤の反応種は、上記被覆内における重合可能な成分を重合させるために使用され得る。光開始剤および光により重合が開始されたとき、そのプロセスは光重合または放射線硬化と称される。故に、液体および可溶性調製物は、光開始剤の適用により、硬質で不溶性の架橋済みポリマ・ネットワークへともたらされ得る。一般的である２つの形式の光開始剤の種類は、ラジカル光開始剤および陽イオン系光開始剤である。
【０００７】
上記ラジカル光開始剤は、適切な光源との相互作用時にラジカルを生成する。ラジカル光開始剤は、アクリレートおよびスチレン調製物のラジカル重合において特に有用であることが見出されている。斯かる開始剤はＵＶ光（３００〜４００ｎｍ範囲）により活性化され得るが、可視光線からＩＲ範囲、または、青色側から深ＵＶに亙る波長により活性化され得るラジカル光開始剤が知られている。
【０００８】
陽イオン系光開始剤は活性化時に、ブレンステッド酸もしくはルイス酸のいずれかを生成する。それは、エポキシドの如き材料を陽イオン的に重合させるべく、且つ、重縮合反応を介して架橋をトリガすべく使用される。
【０００９】
光媒体の保護被覆において使用される光開始剤は活性化時に、特に染料などの光学的状態変化材料であって、光媒体の著作権侵害防止機能（この語句によれば、本明細書において特に区別されるのでなければ、“コピー防止”機能が包含される）を達成するために一定時点までは光学的状態の変化が意図されないという光学的状態変化材料の尚早な活性化を引き起こす偶発的な作用を呈することがある。
【特許文献１】なし
【非特許文献１】なし
【発明の開示】
【発明が解決しようとする課題】
【００１０】
故に、光開始剤と光学的状態変化材料とを備えて成る優れた光記録媒体保護被覆に対する要望がある。また、特に光学的状態変化材料が著作権侵害防止を行うべく設計されたときに、当該光記録媒体に適用された任意の保護被覆中における光開始剤の機能であって、上記光学的状態変化材料を偶発的に活性化するという機能を低減するという優れた光記録媒体に対する要望もある。
【００１１】
定義：
デジタル・データ目印：デジタル記録媒体上における単一もしくは複数の目印であって、デジタル・データ読取り内容に対応する目印。斯かる目印としては、光記録媒体上の光学的なピットおよびランド、フロッピー・ドライブ上で電磁的に変更された部分、デジタル読取りのために変更された記録染料、デジタル・データ読取り内容を表す断続的目印（ｐｕｎｃｔｕａｔｅ  ｉｎｄｉｃｉａ）が挙げられる。
【００１２】
デジタル読取器：デジタル記録媒体上に記録されたデジタル情報を検出して読取り得る任意のデバイス。“読取器”という語句によれば、限定的なものとしてでは無く、再生器を包含することが意図される。その例は、ＣＤおよびＤＶＤの読取器である。
【００１３】
デジタル記録媒体：当該媒体上に情報をデジタル形態で記憶し得る（必ずしも円形でない）任意の幾何学形状の媒体。デジタル記録媒体としては、限定的なものとしてでは無く、ＣＤ、ＤＶＤ、ＨＤ−ＤＶＤ、電磁テープおよびディスク、フラッシュ・ドライブおよび光媒体が挙げられる。該媒体上に記憶された情報としては、限定的なものとしてで無く、ソフトウェア・プログラム、ソフトウェア・データ、オーディオ・ファイルおよびビデオ・ファイルが挙げられる。
【００１４】
デジタル化：非テキスト的データをデジタル形態に変換すること。
【００１５】
コード化：電子的情報を記録すること。
【００１６】
暗号化：無権限者が当該情報を判読できないように、鍵に基づいて情報を転送すること。
【００１７】
光学的状態変化材料：とは、当該材料に対する所定の波長もしくは下位波長の光の付与または光子エネルギの付与時に測定可能な状態（たとえば、限定的なものとしてで無く、不透過率、吸光度、反射率および／または色）が変化する状態変化材料である。
【００１８】
光媒体：光学的読取器により読取られ得る目印もしくはコンテンツを記憶し得る（必ずしも円形でない）任意の幾何学形状の媒体。
【００１９】
光学的読取器：光媒体の読取りを行う（以下に定義された如き）読取器。
【００２０】
永続的状態変化材料：当該材料に対するエネルギの付与時に測定可能な状態を変更すべく一旦活性化されたならば、永続的に、または、長期に亙り斯かる状態に留まる材料。
【００２１】
状態変化材料：当該材料に対するエネルギの付与による該材料の活性化時に該材料の測定可能な特性を変化させ得る材料。“状態変化材料”によれば、限定的なものとしてでは無く、当該材料に対するエネルギの付与時に光学的状態が変化する材料、当該材料に対するエネルギの付与時に電磁状態（たとえば導電状態）が変化する材料、および、当該材料に対するエネルギの付与時に（たとえば、結晶構造から非結晶構造へと）物理状態が変化する材料を包含することが意味される。
【００２２】
一時的状態変化材料：当該材料に対するエネルギの付与時に該材料の測定可能特性が変化する様に一旦活性化されたなら、一年未満の期間に亙り斯かる状態に留まる状態変化材料。
【００２３】
過渡的状態変化材料：当該材料の測定可能特性を変化させるべく一旦活性化されても、（数分間以下の）短時間内に自然に、測定可能特性における斯かる変化を喪失する材料。該材料としては、限定的なものとしてで無く、エネルギの付与時には第１状態から第２状態へと移行し、且つ、エネルギの付与が無ければ上記第１状態に戻るという材料が挙げられる。
【００２４】
可搬デジタル記録媒体：ひとつの場所から別の場所まで手で搬送され得る、デジタル様式で読取可能なデータを含む比較的に小寸の媒体。該媒体としては、限定的なものとしてでは無く、光ディスク、フロッピー・ディスク、フラッシュ・ドライブが挙げられる。
【００２５】
開示内容の残部の目的に対し、当該語句が全て大文字であるか否かに関わらず、上記で定義された語句が意図されることは理解される。
【課題を解決するための手段】
【００２６】
本明細書において開示される実施例は、下記を包含する：
【００２７】
頂部平坦表面および底部平坦表面を有する基板であって、上記頂部表面は、陽イオン系光開始剤と併せて光学的状態変化材料を取入れたポリマ層を備えるという基板を備えて成る、デジタル記録媒体。上記光学的状態変化材料は、クマリン３０、アリザリンレッドＳおよびポルフィリン化合物から成る群から選択された少なくとも一種類の材料を備えて成り得る。上記ポルフィリン化合物は、オクタエチル・ポルフィリン、テトラキス（ｏ−アミノフェニル）ポルフィリンおよびマグネシウム・オクタエチル・ポルフィリンから成る群から選択された少なくとも一種類のポルフィリンを備えて成り得る。上記光開始剤は陽イオン系光開始剤である。上記光開始剤は、（４−メチルフェニル）ジフェニルスルホニウム・トリフレート、トリス（４−ｔｅｒｔ−ブチルフェニル）スルホニウム・パーフルオロ−１−ブタンスルホネート、（４−メトキシフェニル）ジフェニルスルホニウム・トリフレート、（４−メチルチオフェニル）メチルフェニルスルホニウム・トリフレート、（４−ブロモフェニル）ジフェニルスルホニウム・トリフレート、または、光活性化されたそれらの補体の内の少なくとも一種類であり得る。
【００２８】
頂部平坦表面および底部平坦表面を有する基板を備えて成るデジタル記録媒体であって、上記頂部表面は、少なくとも３つの層、すなわち、適切な波長の光による衝当時に少なくともひとつの光学的状態と別の光学的状態との間で変化すべく活性化可能な光学的状態変化材料を備えて成る層、活性化された光開始剤の反応生成物を備えて成るポリマ層であって、上記光開始剤は活性化の以前において該ポリマ層内におけるポリマを架橋させ得るというポリマ層、および、上記光学的状態変化材料層と上記活性化された光開始剤の層との間のポリマ性隔離層であって、上記光開始剤または上記光学的状態変化材料を活性化し得る物質を含まないというポリマ性隔離層を備えて成る、デジタル記録媒体。
【発明を実施するための最良の形態】
【００２９】
本発明は、光媒体上の著作権侵害防止システムであって著作権侵害防止機能を発揮するために状態変化材料の状態変化を利用するという著作権侵害防止システムと、上記光媒体に対して適用される硬質被覆形成システムであって光開始剤による上記状態変化材料の実質的に偶発的な活性化を引き起こさない様式で該光開始剤を利用するという硬質被覆形成システムとを提供する。
【００３０】
一実施例においては、当該デジタル記録媒体に組み合わされた状態変化材料であって、ひとつの状態において該状態変化材料は当該デジタル記録媒体上のデータの読取りを阻止するが、別の状態においては当該デジタル記録媒体上のデータの読取りを許容するという様式で組み合わされた状態変化材料を備えるデジタル記録媒体が提供される。上記状態変化材料は光学的状態変化材料とされ得、その場合に状態変化は、限定的なものとしてで無く、たとえば光退色などの任意数のメカニズムにより引き起こされる。読取りの阻止は、上記状態変化が第１形態に在るときには光ディスク上の構造の読取りを物理的に阻止するが、上記状態変化が第２形態に在るときには上記光ディスク上の構造の読取りを許容するという上記状態変化により引き起こされ得る。読取りの阻止はまた、当該デジタル記録媒体上のソフトウェアであって、上記状態変化材料が（限定的なものとしてで無く、当該媒体上の一個以上の所定箇所に位置されているなどして）所定様式で該媒体上に存在すると決定されるのでなければ、デジタル記録媒体の読取りを、または、完全な読取りを許容しない様に設定されたソフトウェアによっても引き起こされ得る。著作権侵害防止はまた、媒体を特定の光学的読取器システムに限定するソフトウェアであって、該媒体上の光学的状態変化材料を利用して、該媒体は上記特定の光学的読取器システム上での読取りに対して認証された媒体であることを識別するというソフトウェアによっても実現され得る。
【００３１】
上記デジタル記録媒体は、可搬デジタル記録媒体、特に光媒体とされ得る。上記デジタル記録媒体は、電子的データを、デジタル読取器により読取可能なデジタル・データ目印にてコード化する形式とされ得る。記憶されるデジタル・データは、暗号化形態とされ得る。上記媒体上には、情報をデジタル化するプロセスによりデジタル・データが取入れられ得る。著作権侵害防止を行うべく使用される上記状態変化材料は、永続的状態変化材料、一時的状態変化材料、または、過渡的状態変化材料とされ得る。
【００３２】
一実施例において上記状態変化材料は、クマリン３０、アリザリンレッドＳ、および、ポルフィリン化合物から成る群から選択された少なくとも一種類の光学的状態変化材料である。上記ポルフィリン化合物の中でも、好適に使用されるのは、亜鉛オクタエチル・ポルフィリン、テトラキス（ｏ−アミノフェニル）ポルフィリン、および、マグネシウム・オクタエチル・ポルフィリンである。アリザリンレッドＳは、リーデルデハーン社（Ｒｉｅｄｅｌ−ｄｅ  Ｈａｅｎ）の指示薬である。
【００３３】
【化１】
2010506340.tif 000002
【００３４】
【化２】
2010506340.tif 000003
【００３５】
上記状態変化材料は、該材料をデジタル記録媒体の本体内に取入れることで該デジタル記録媒体に対して適用され得るか、または、保護被覆の適用の前に、後に、もしくは、同時に（すなわち混合されて）上記デジタル記憶媒体に対して適用され得る。
【００３６】
上記状態変化材料が光開始剤と共に被覆内に適用されるという一実施例において、上記状態変化材料の状態の変化の作用のメカニズムは、上記開始剤の活性化のメカニズムとは同一でない様に選択される。たとえば上記開始剤および状態変化材料は、これらの両者が同一波長の光にては活性化されない様に選択され得る。同一の活性化メカニズムを回避することにより、光学的状態変化材料の如き上記状態変化材料の尚早な活性化が阻止され得る。
【００３７】
上記状態変化材料が保護被覆の前に適用されるという別実施例において、（光学的状態変化材料の如き）該状態変化材料は（光学的デジタル記録媒体の如き）デジタル記録媒体に対して適用されてから、斯かる材料は（上記状態変化材料に関して）非活性的である絶縁体層により被覆される。次に、上記状態変化材料が不都合で尚早な状態変化を行うことを当該絶縁体層の存在の故に阻止するという上記絶縁体層上には、上記開始剤を含む被覆が適用される。
【００３８】
また、上記状態変化材料が、たとえばＣＤ、ＤＶＤもしくはブルーレイ光媒体の光範囲における３００ｎｍ以上にて強力に吸収を行う光学的状態変化材料であるという更に別の実施例において、上記開始剤は、３００ｎｍ以上にて少量の吸収を有するべく選択される。特に、陽イオン系光開始剤が使用され得る。上記光開始剤は、（４−メチルフェニル）ジフェニルスルホニウム・トリフレート、トリス（４−ｔｅｒｔ−ブチルフェニル）スルホニウム・パーフルオロ−１−ブタンスルホネート、（４−メトキシフェニル）ジフェニルスルホニウム・トリフレート、（４−メチルチオフェニル）メチルフェニルスルホニウム・トリフレート、（４−ブロモフェニル）ジフェニルスルホニウム・トリフレート、または、光活性化されたそれらの補体の内の少なくとも一種類とされ得る。斯かる光開始剤は、（示されたスペクトルが付されて）以下に示される：
【００３９】
【表１】
2010506340.tif 000004
【００４０】
【表２】
2010506340.tif 000005
【００４１】
上記保護被覆の厚みは、該保護被覆内における開始剤の活性化に必要な波長における光の減衰を低減しない様に、且つ、著作権侵害防止機能を達成するために必要な上記状態変化材料の活性化にそれほど影響しない様に、調節され得る。
【００４２】
好適実施例に関する陳述
本発明は好適実施例に関して記述されたが、当業者であれば、本発明に対しては添付の各請求項により定義された本発明の精神または有効範囲から逸脱せずに種々の変更および／または改変が為され得ることを容易に理解し得よう。付加的もしくは代替的な詳細、特徴および／または技術的背景の教示に対して適切な場合、本明細書において引用された全ての文献は言及したことにより本明細書中に援用される。
【国際調査報告】
2010506340.tif 000006